(57)【要約】【課題】チルト式の表示パネルユニットを備えた画像形成装置において、その高速化に伴うシート排出部から排出積載されるシートの画像品質の劣化を防止すること。【解決手段】装置本体内に、画像読取部３の下方にシート排出部６と排出トレイ７とが相並んで配置され、かつ該画像読取部３の前面部に操作パネルユニット１０がチルト式に装着されてなる画像形成装置１において、該シート排出部６の奥方に該排出トレイ７に排出されるシートＳの上方空間に風を送る送風手段５０を備え、該操作パネルユニット１０の開閉度合いに基づいて該送風手段５０の風量を制御する。【選択図】図４
2014002210.tif 000002
【特許請求の範囲】
【請求項１】
装置本体内に、原稿の画像を読み取る画像読取部と、給紙部と、前記給紙部から搬送されるシートに前記画像読取部で読み取られた画像を形成する画像形成部と、該画像が形成されたシートを排出するシート排出部と、該シート排出部より排出されたシートを受ける排出トレイとを有し、
前記画像読取部の下方に、前記シート排出部と前記排出トレイとが相並んで配置され、
画像形成の指示を入力する操作パネルユニットが前記画像読取部の前面部に枢着軸を介して、前記シート排出部の前部にチルト式に開閉自在に装着されてなる画像形成装置において、
前記シート排出部の奥方に、該シート排出部より前記排出トレイに排出されるシートの上方空間に所定の風量の風を送る送風手段と、
前記操作パネルユニットの開閉度合いを検出する操作パネルユニット開閉検出手段と、を備え、
該操作パネルユニット開閉検出手段の検出値に基づいて前記送風手段の風量を制御することを特徴とする画像形成装置。
【請求項２】
前記送風手段は、奥方から前方に向けての送風、又は前方から奥方に向けての吸引風、又は奥方から前方に向けての送風及び前方から奥方に向けての吸引風、を送ることを特徴とする請求項１に記載の画像形成装置。
【請求項３】
前記操作パネルユニット開閉検出手段は、前記操作パネルユニットの外部に備えたことを特徴とする請求項１又は２のいずれかに記載の画像形成装置。
【請求項４】
前記操作パネルユニット開閉検出手段は、前記操作パネルユニットの内部に備えたことを特徴とする請求項１又は２のいずれかに記載の画像形成装置。
【請求項５】
前記操作パネルユニット開閉検出手段は、前記操作パネルユニットの開閉度合いを開閉の２値で検出することを特徴とする請求項１ないし４のいずれか１項に記載の画像形成装置。
【請求項６】
前記操作パネルユニット開閉検出手段は、前記操作パネルユニットの開閉度合いを閉から開の３値以上の多値で検出するとともに、ことを特徴とする請求項１ないし４のいずれか１項に記載の画像形成装置。
【発明の詳細な説明】
【技術分野】
【０００１】
この発明は、操作パネルユニットが傾動可能ないわゆるチルト式操作パネルユニットを備えた複写機、プリンタ、ファクシミリ装置及びこれらの複合機等の画像形成装置に関する。
【背景技術】
【０００２】
操作パネルは画像形成装置の各種操作の入力のための機能をなすものであるが、該画像形成装置の小型化のために、収納可能な利便性からチルト式操作パネルユニットの採用がなされ、併せて、画像が形成されたシートを排出するシート排出部と該シート排出部より排出されたシートを受ける排出トレイとを該画像形成装置内に相並べて配される構成を採るものがある。また、この小型化の構成を採る該画像形成装置においても、高速化の要請から、短時間でのトナーのシートへの定着を図るべく定着温度の高温化がなされている。
【０００３】
一方、操作パネルは、画像形成装置システムの多機能化による表示項目の多様化、使用者の視認性及び作業性の向上のために、より大型化する傾向にある。また、高速化の要請からなされる定着温度の高温化については、定着直後にシート排出部から排出トレイに排出される当該シートの高温のため、排出トレイ上に多量の高温のシートが積載されることとなり、該シート上のトナー画像が他のシートに付着する不具合、更にはシート同士が貼り付いてしまうという不具合、等が生じ、画像品質を劣化させてしまうものである。そこで、特許文献１に記載の画像形成装置は、シート排出部から排出トレイへ排出されるシートに対して風を下方より直接当てて送る送風手段によりシートを冷却するようにしている。
【先行技術文献】
【特許文献】
【０００４】
【特許文献１】特開２０００−９５４１４号公報
【発明の概要】
【発明が解決しようとする課題】
【０００５】
上記した操作パネルの大型化に対応して、チルト式操作パネルユニットを採用する画像形成装置においても該操作パネルユニットの大型化がなされるが、該操作パネルユニットの使用態様（閉状態）によってはシート排出部の前面部の空間を一部もしくは全てを塞ぐ状態となり、放熱空間の減少により、前述した高速化の要請からなされる定着温度の高温化による画像品質の劣化がより一層進行する事態に立ち至るものである。この状態での従来技術の排出シートの下方から直接風を当てる対策では、十分なシートの冷却効果が得られないものである。
【０００６】
本発明は、大型化するチルト式操作パネルユニットを有する画像形成装置において、より効果的なシート排出部でのシートの冷却のための送風対策を得ることを目的とする。
【課題を解決するための手段】
【０００７】
本発明の画像形成装置は、装置本体内に、原稿の画像を読み取る画像読取部と、給紙部と、前記給紙部から搬送されるシートに前記画像読取部で読み取られた画像を形成する画像形成部と、該画像が形成されたシートを排出するシート排出部と、該シート排出部より排出されたシートを受ける排出トレイとを有し、前記画像読取部の下方に、前記シート排出部と前記排出トレイとが相並んで配置され、画像形成の指示を入力する操作パネルユニットが前記画像読取部の前面部に枢着軸を介して、前記シート排出部の前部にチルト式に開閉自在に装着されてなる画像形成装置において、前記シート排出部の奥方に、該シート排出部より前記排出トレイに排出されるシートの上方空間に所定の風量の風を送る送風手段と、前記操作パネルユニットの開閉度合いを検出する操作パネルユニット開閉検出手段と、を備え、該操作パネルユニット開閉検出手段の検出値に基づいて前記送風手段の風量を制御することを特徴とする。
【発明の効果】
【０００８】
本発明によれば、操作パネルユニットが閉状態にあっても、良好な冷却作用が発揮され、画像品質の劣化を来すことなく排出トレイへ画像付きシートを高速かつ多量に積載することができる。また、操作パネルユニットが開状態においては、風量減となり、消費電力の減少を図ることができる。更に本発明によれば、操作パネルユニットの開閉に自在に対応でき、操作パネルユニットの大型化に対応できる。
【図面の簡単な説明】
【０００９】
【図１】本発明の画像形成装置の１実施形態の全体の概略構成を示し、操作パネルユニットが押し下げられた状態（閉状態）の斜視図。
【図２】図１の画像形成装置の操作パネルユニットが押し上げられた状態（開状態）の斜視図。
【図３】本実施形態の画像形成装置の内部構成を示す横断面図。
【図４】操作パネルユニットが閉状態でのシート排出部の拡大横断面図。
【図５】図４の斜視図。
【図６】本実施形態の画像形成装置における検出手段の一態様を示す斜視図。
【図７】その内部構成図。
【図８】本画像形成装置の検出手段の他の態様を示す斜視図。
【発明を実施するための形態】
【００１０】
以下、本発明の画像形成装置の実施の形態を図面を参照して説明する。
【００１１】
図１〜図７は本発明の画像形成装置の一実施形態を示し、図１及び図２は本画像形成装置の全体の外観構成を示し、図３は本画像形成装置の全体の内部構成を示し、図４〜図７は本画像形成装置の要部の部分構成を示す。
【００１２】
図１〜図３を参照して、本画像形成装置１は転写方式電子写真プロセスを用いた複写機への適用を示し、その上部に開閉可能な原稿搬送部２を備え、該画像形成装置１本体の上部には前記原稿搬送部２に対置する画像読取部３、該画像形成装置１本体の下部にはシートＳを貯留・供給する給紙部４、前記画像読取部３と給紙部４との間にあってシートＳに画像を形成する画像形成部５、該画像が形成されたシートＳを排出するシート排出部６、該排出されたシートを受ける排出トレイ７が配置される。なお、前記画像形成部５は、前記給紙部４から給紙されるシートＳの上流側にあって感光ドラム回りの画像転写装置部５Ａと、下流側の定着装置部５Ｂとからなる。また、本実施形態においては、前記シート排出部６と排出トレイ７とは前記画像読取部３の下方に配置される。また、本画像形成装置１の下部側面部には前記給紙部４の給紙の流れに連動するＭＰ（マルチペーパー）給紙部８が配される。
【００１３】
更に、本画像形成装置１本体の上部前面で、シート排出部６に対応する位置に、操作パネルユニット１０が該画像形成装置１に枢着軸（ヒンジ）１１（図４参照）を介して傾動可能に取り付けられ、該チルト式の操作パネルユニット１０の表面部に配された操作キー１２及びタッチパネル（操作画面）１３からの入力信号を画像形成装置１の駆動／制御機構へ送る。
【００１４】
図１は該傾動可能な操作パネルユニット１０を押し下げた状態（閉状態）を示し、図２は該操作パネルユニット１０を持ち上げた状態（開状態）を示す。なお、該操作パネルユニット１０の開及び閉状態は手動によってなされ、その開閉状態（２値情報）、あるいは開状態における開き度合い（連続値情報）の検出は、後記するように所定の検出手段によってなされる。
【００１５】
原稿搬送部２は、画像読取部３の原稿載置面（後述する画像読取部３の原稿台ガラス１９）に対して後部のヒンジ（図示せず）を介して開閉自在にされ、原稿の載置される原稿トレイ１４、該原稿トレイ１４上の原稿を１枚毎に送る原稿搬送機構部１５、該原稿搬送機構部１５からの原稿を受ける原稿排紙トレイ１６、更には原稿載置面に対する原稿圧着板部１７を有している。
【００１６】
画像読取部３は原稿の画像情報を光電読取りする機能を有し、上面に配設した固定の原稿台ガラス１９及び該画像読取部３内の光電読取りユニット２０からなる。すなわち、該原稿台ガラス１９は原稿搬送部２の原稿圧着板部１７に対置し、光電読取りユニット２０は画像読取部３内において原稿搬送部２の原稿搬送機構部１５に対置し、当該位置をホームポジションとして待機状態を採る。
【００１７】
以下、原稿読取りモード（「原稿流し読みモード」、「原稿固定読みモード」）に対応して、画像形成される動作を説明する。
【００１８】
操作パネルユニット１０からの操作信号（読取り開始信号）を受けて、光電読取りユニット２０は「原稿流し読みモード」及び「原稿固定読みモード」に対応して、該ホームポジションでの静止作動、ないしは該ホームポジションからの移動作動をなす。
【００１９】
原稿流し読みモードに際しては、原稿搬送部２を原稿台ガラス１９上に閉じ込み、原稿トレイ１４上に１又は複数枚の原稿を画像面を上向きにして載置し、操作パネルユニット１０の操作キー（プリントキー）１２を押すと、原稿トレイ１４上の原稿が一枚毎に分離給送され、原稿搬送機構部１４で原稿流し読み位置を経由して原稿排紙トレイ１６上に画像面下向きで排紙される。上記の原稿流し読み位置は画像読取部３における光電読取りユニット２０のホームポジションに対応しており、原稿画像は原稿が原稿流し読み位置を搬送移動していく過程においてホームポジションに位置している光電読取りユニット２０により光電読取りされる。
【００２０】
原稿固定読みモードに際しては、原稿搬送部２を画像読取部３の原稿台ガラス１９の上面から開き起こし、該原稿台ガラス１９の上面に原稿をその画像面を下向きにして所定の載置基準に従って配置し、その上に原稿搬送部２を閉じ込み、原稿圧着板部１７で原稿を抑え込ませる。次いで、操作パネルユニット１０の操作キー（プリントキー）１２を押すと、画像読取部３の光電読取りユニット２０が画像読取部３内において、そのホームポジションの位置（図１左寄り）から原稿台ガラス１９の下面に沿って右方に所定の速度で往移動駆動され、所定の往動終点に達すると反転して当初のホームポジションに復移動駆動される。この光電読取りユニット２０の往動移動過程において、原稿台ガラス１９上の所定位置に配された原稿の下向き画像面が光電読取りユニット２０により光電読取りされる。原稿画像情報は光電読取りユニット２０により画素単位で光電読取りされ、デジタル変換された信号がメモリに記憶され、該信号は本画像形成装置１の本体内のレーザースキャナ制御回路へ入力される。
【００２１】
本画像形成装置１の本体内において、プリントキー１２が押されると電子写真感光ドラム２２が回転を開始する。該感光ドラム２２の表面はその回転過程の上流で帯電ローラ２３により所定の極性・電位に一様に帯電され、一様帯電面を形成する。次いで、回転とともにその一様帯電面に対してレーザースキャナ２４により上記した画像情報のレーザービーム走査露光を受け、該感光ドラム２２の表面に画像情報の静電潜像が形成される。すなわち、レーザースキャナ２４は、レーザービーム発振器、ポリゴンミラー、折り返しミラー等を備えており、画像読取部３から原稿画像情報の光電読取りデジタル変換信号（時系列電気デジタル画素信号）の入力を受けて、レーザービーム発振器から該入力信号に対応して変調されたレーザービームを照射し、ポリゴンミラー、折り返しミラーにより、感光ドラム２２面をレーザービーム走査露光する。感光ドラム２２面に形成された静電潜像は、トナー部２５からのトナーの供給を受けて現像器２６によりトナー像として現像される。
【００２２】
一方、給紙部４から給送されるシートＳは、このタイミング（トナー像の形成）で該感光ドラム２２に臨む所定位置に到達している。すなわち、前記したプリントキーからの信号を同時に受けて、給紙部４内の積層されたシートＳは一枚毎に分離給紙されて本画像形成装置１の本体内を搬送ローラ２８及び搬送ガイド２９を介して上方へ給送され、レジストローラ対３０に至る。そして、該シートＳは該レジストローラ対３０により所定の制御タイミングで感光ドラム２２と転写ローラ３１との当接ニップ部である転写部に導入される。この制御タイミングにより、転写部に感光ドラム２２面のトナー像の先端部が到達した時、シートＳの先端部も同時に転写部に到達してレジストされる。そして、転写部（すなわち感光ドラム２２と転写ローラ３１との当接ニップ部）にて感光ドラム２２面のトナー像がシートＳの面に順次に転写されていく。なお、図３において、給紙部４にはピックアップローラ３３及びフィードローラとリタードローラとからなる分離ローラ対３４が配され、上記したシートＳの分離給紙をなす。
【００２３】
ＭＰ（マルチペーパー）給紙部８を使用する場合には、上記した給紙部４からの給紙は停止され、プリントキーからの信号を受けて手差しシートがレジストローラ対３０まで給送される。なお、このＭＰ給紙部８は不使用時にはプリンタ本体１に対して閉じ込んで格納した状態とし、使用時には倒し開いて展開した状態にしてシートを載置セットする。
【００２４】
シートＳは画像転写装置部５Ａの転写部（感光ドラム２２と転写ローラ３１との当接ニップ部）を通過した後、感光ドラム２２面から分離され、定着装置部５Ｂに導かれてトナー像の熱定着処理を受ける。本実施形態では、定着装置部５Ｂは加熱定着手段としてのセラミックヒータとフィルム、加圧手段としての加圧ローラからなるフィルム加熱タイプを採る。
【００２５】
また、シート分離後の感光ドラム２２面はクリーニング器（クリーニングブレード）３７により転写残トナーの除去を受けて清掃され、繰り返して作像に供される。なお、本実施形態において、感光ドラム２２及び該感光ドラム２２周りの帯電ローラ２３、現像器２６、クリーニング器３７は、カートリッジ筐体に配設して一括して本画像形成装置１の本体に対して着脱交換可能なプロセスカートリッジになっている。該プロセスカートリッジは本画像形成装置１の本体内の所定の位置に向って押し込んで装着され、前方向に取り外される。
【００２６】
トナー像の定着されたシートＳは、搬送ローラ対及び搬送ガイドにより更に上方へ搬送され、シート排出部６に臨む位置に配された排出ローラ対４１を介してシート排出部６から排出される。排出されたシートＳは排出トレイ７上に画像面下向きで順次積載される。
【００２７】
本実施形態では、シート両面搬送部４３を有し、両面画像形成がなされる。この場合、片面にトナー像の定着されたシートＳが前記したシート排出部６の排出ローラ対４１に至る前に該シートＳは更に上方へ搬送され、該シート両面搬送部４３の上部で当該シートＳの反転操作を受け、その後下方へ送られる。該シートＳはレジストローラ対３０に至り、上記した過程に準じて転写部（感光ドラム２２）、定着部を経由してシート排出部６から排出される。
【００２８】
更に、本実施形態において、図４、図５に示すように、本画像形成装置１の前面からみてシート排出部６の奥方に、かつ該シート排出部６の上方空間に向けて送風する送風手段５０を配したことを特徴とする。更には、該送風手段５０は前記した操作パネルユニット１０の傾動に関連付けられて作動することを特徴とする。
【００２９】
該送風手段５０は、操作パネルユニット１０の後方で、かつ排出部６の奥方に配され、排出部６の上方空間への送風をなす。該送風手段５０は、回転軸回りに回転するファンを円筒状のケーシング内に配し、かつ電動モータにより回転駆動されて送風する公知のものであって、本実施形態ではその回転軸を傾斜させて配され、軸方向（ファンの角度）に向けて矢印５１の送風及び／又は矢印５２の吸引風とを使い分けられる。矢印５１で示す送風（風路）はシート排出部６からの排出中のシートＳの上方の空間５３を流れ、シートＳに直接的に当たらないようにされ、かつその流れは操作パネルユニット１０に至る。
【００３０】
図１、図４、図５に示す操作パネルユニット１０が閉状態での本送風手段５０の作動については、送風５１は給紙部４からの給紙開始とともに本送風手段５０へ入力信号が送られて送風が開始され、シート排出部６からの排出中のシートＳの上方の空間５３を流れ、その流れは操作パネルユニット１０の背面に至る。操作パネルユニット１０の背面では、操作パネルユニット１０の傾斜に沿って下方への流れと該操作パネルユニット１０の開放側（前面から見て左方）への流れとになり、停留せず流れる。
【００３１】
この間、空間５３を流れる送風流はシート排出部６からの排出中のシートＳの放熱作用を促進する。この放熱作用により、シートＳの高速の連続的排出においても多量のシートＳが画像品質の劣化を受けることなく排出トレイ７上に積載される。
【００３２】
この状態での送風手段５０による送風は、後記する操作パネルユニット１０の閉状態の検知情報を受けて、該操作パネルユニット１０が開状態であるときよりも強風状態とされる。すなわち、送風手段５０は電動モータの出力が大とされ、冷却作用が高められる。この場合、電動モータの駆動音が大きくなるが、操作パネルユニット１０が閉塞しているので、駆動音並びに通紙音の本画像形成装置１外への漏れは小さく、外部への影響は小さい。
【００３３】
吸引風５２ではこの逆の作用となる。すなわち、送風手段５０のファンは逆回転し吸引風５２を起こすが、操作パネルユニット１０の開放側から空気流が流れ込み、空間５３を流れ、送風手段５０を抜けて奥方へ流れる。
【００３４】
上記した送風５１及び吸引風５２は、それぞれの専用の送風手段５０による使用であることも、あるいは、両用可能な送風手段５０のいずれか一方を特定して使用されるものである。
【００３５】
上記した操作パネルユニット１０の閉塞（開閉も含む）状態の検知は、図６、図７に示す操作パネルユニット開閉検出手段Ｋによってなされる。この操作パネルユニット開閉検出手段Ｋは、操作パネルユニット１０の外側に配される態様を採る。本操作パネルユニット開閉検出手段Ｋは、閉状態の操作パネルユニット１０が収容される本装置本体の機枠の収容凹部５５に開設された窓部５６に突出するカム（又はフラグ）５７と、該窓部５６の後部においてカム５７の支点となる回転軸部５８と、該回転軸部５８に装着され該回転軸部５８を一方向（開方向）に回転付勢する付勢ばね５９と、該回転軸部５８に一体に取り付けられて該回転軸部５８とともに回転する回転板６０と、該回転板６０に相並んで配される固定板６１とからなる。回転板６０と固定板６１とから回転量検出部６２が構成され、回転板６０と固定板６１との相対的変位量から開閉が検出（判定）される。これにより、操作パネルユニット１０が閉状態のとき、カム５７が、操作パネルユニット１０の背面（又は背面側に形成された突片）に接し、カム５７は、付勢ばね５９に抗して押し下げられ、回転板６０は最大位置にまで回転して固定板６１との間で全閉状態の検出量を示す。この検出量は電気量として取り出され、所定の信号数値に変換され、本画像形成装置１内の処理装置（ＣＰＵ）へ送られる。
【００３６】
図２に示す操作パネルユニット１０の開状態での本送風手段５０の作動については、該送風手段５０の作動は上記の閉状態の作動に準じ、駆動の開始信号を受けて駆動が開始され、その送風５１は空間５３へ流れる。しかし、操作パネルユニット１０に至ると、送風５１は操作パネルユニット１０の下部を抜けて本画像形成装置１の前方へ流れ出る。空間５３は前方に開放された状態となっているので、放熱作用が促進され、シート排出部６では排出中のシートＳの放熱作用が高められ、これにより送風手段５０の送風は弱風状態を採る。この状態では、送風手段５０は電動モータの出力が小とされ、駆動音が小さくなり、外部への影響は小さい。
【００３７】
本操作パネルユニット開閉検出手段Ｋでは、操作パネルユニット１０の開状態を検知する。すなわち、図６、図７に示されるように、カム５７は操作パネルユニット１０の背面と離れて付勢ばね５９により上方へ跳ね上がった状態を採り、したがって、回転軸部５８は閉動作より逆回転し、回転板６０は固定板６１より離れた位置となり、全開状態の検出量を示す。この検出量は電気信号として本画像形成装置１内の処理装置に送られる。
【００３８】
上記した操作パネルユニット開閉検出手段Ｋの検知信号は常時取り出され（例えば２秒間隔）、本画像形成装置１内の処理装置（ＣＰＵ）に送られる。処理装置（ＣＰＵ）はこの検知信号を受けて所定のタイミングをもって送風手段５０へ駆動信号を送り、排出トレイ７へトナー像の定着されたシートＳが排出された後、所定時間（例えば５秒）の経過後駆動を停止し、次のタイミングに備える。本実施形態では、上記の所定のタイミングは、原稿の読取りとともに送風をなす態様を採るが、操作パネルユニット１０上に配置されたいずれかのキーを操作した後になす態様を採ることができる。
【００３９】
上述した操作パネルユニット開閉検出手段Ｋでは２値（開閉）情報を採ったが、操作パネルユニット１０の開き度合を多値に検出する態様により細かな制御を可能とする。その一態様として、図６、図７に示す操作パネルユニット開閉検出手段Ｋにつき、窓部５６及び該窓部５６に突出するカム５７の位置を複数段検出することによりなされる。すなわち、カム５７の突出量を大きく採り、該カムが操作パネルユニット１０の裏面と離れた状態で全開位置を検出し、操作パネルユニット１０が全閉して、カム５７が回動した状態で全閉位置を検出し、そして操作パネルユニット１０が半開きとなって、カム５７が操作パネルユニット１０により所定量回転した位置を検出して、上記全開位置と全閉位置との間の１個又は複数位置を検出する。そして、操作パネルユニット１０の開き度合が増大するにつれて送風手段５０の送風量を減少させ、操作パネルユニット１０の開き度合が最大値を採るとき送風手段５０の送風量は最小値を採る。
【００４０】
図８には、操作パネルユニット開閉検知手段Ｋが操作パネルユニット１０の内側に配される態様を示す。即ち、操作パネルユニット１０の背面側に操作パネルユニット開閉検出手段Ｋが配置され、該検出手段が、装置本体の機枠の収納凹部５５に設けられた突片７１に接離する。
【００４１】
上記において、操作パネルユニット開閉検出手段Ｋの検知信号は本画像形成装置１の始動とともに常時取り出されるものであるが、当該検知信号を取り出すタイミングは、
ａ）操作パネルユニット１０上に配置されたいずれかのキーを操作した後であること、
ｂ）原稿搬送部２が原稿を給紙して読み取り、原稿排紙トレイ１６に排出するまでの中のいずれかであること、
ｃ）操作パネルユニット１０上で印刷開始の入力をした後から、トナー画像形成して排出トレイ７に排出されるまでの中のいずれかであること、
等の態様を除外するものではない。
【００４２】
なお、操作パネルユニット開閉検出手段は、上述したカム５７によるものに限らず、例えばスイッチのオン、オフにより、操作パネルユニットの開閉２値を検出してもよく、また操作パネルユニット１０の回動軸（枢着軸）１１の回動量を検出して、操作パネルユニットの多段値又は無段に検出してもよい。
【符号の説明】
【００４３】
１：画像形成装置、２：原稿搬送部、３：画像読取部、４：給紙部、５：画像形成部、５Ａ：画像転写装置部、５Ｂ：定着装置部、６：シート排出部、７：排出トレイ、８：ＭＰ（マルチペーパー）給紙部、１０：操作パネルユニット、１１：枢着軸（ヒンジ）、５０：送風手段（５１：送風、５２：吸引風）、５３：空間、Ｓ：シート、Ｋ：操作パネルユニット開閉検出手段
【図１】
2014002210.tif 000003
【図２】
2014002210.tif 000004
【図３】
2014002210.tif 000005
【図４】
2014002210.tif 000006
【図５】
2014002210.tif 000007
【図６】
2014002210.tif 000008
【図７】
2014002210.tif 000009
【図８】
2014002210.tif 000010